(57)【要約】    【課題】  読み取り不可能な状態と読み取り可能とを切り替えられる二次元コード付き容器を提供する。    【解決手段】  容器１０の蓋１６が抜かれる前の状態では、ＱＲコードＱは歪むように変形部位１２に印刷されている。一方、容器１０の蓋が抜かれ、開封によって内部のガス圧力が開放され、折れ目１４により囲まれた三角形１２ｄが内側に凹んだ状態で、ＱＲコードＱは正しい矩形形状に成るように変形部位１２に印刷されている。印刷されたＱＲコードＱが歪んでいる状態では読み取ることができない。しかし、蓋が抜かれた状態になれば、読み取ることができる。【選択図】  図３
2007219614.tif 000002
【特許請求の範囲】
【請求項１】
所定の操作を施すことで変形が生じる容器であって、
容器の変形部位に、変形前は読み取り不可能で、変形後は読み取り可能となるように二次元コードの少なくとも一部を記録したことを特徴とする二次元コード付き容器。
【請求項２】
所定の操作を施すことで変形が生じる容器であって、
容器の変形部位に、変形前は読み取り可能で、変形後は読み取り不可能となるように二次元コードの少なくとも一部を記録したことを特徴とする二次元コード付き容器。
【請求項３】
前記容器は、加圧封止又は減圧封止され、
前記容器の変形部位は、連続する三角形の折れ目により形成されており、
開封によって圧力が開放されることで、前記二次元コードの少なくとも一部が記録された前記変形部位に三角形の折れ目による凹凸が生じることを特徴とする請求項１又は請求項２の二次元コード付き容器。
【請求項４】
前記容器は、加圧封止又は減圧封止され、開封によって圧力が開放されることで、前記二次元コードの少なくとも一部が記録された前記変形部位に凹凸が生じ又は凹凸が平坦になることを特徴とする請求項１又は請求項２の二次元コード付き容器。
【請求項５】
折り曲げ部又は曲がり部を有する容器であって、
前記折り曲げ部又は曲がり部に、当該折り曲げ部又は曲がり部が平坦に延ばされた状態で読み取り可能となるように二次元コードの少なくとも一部を記録したことを特徴とする二次元コード付き容器。
【請求項６】
所定の操作を施すことで変形が生じる包装材であって、
包装材の変形部位に、変形前は読み取り不可能で、変形後は読み取り可能となるように二次元コードの少なくとも一部を記録したことを特徴とする二次元コード付き包装材。
【請求項７】
所定の操作を施すことで変形が生じる包装材であって、
包装材の変形部位に、変形前は読み取り可能で、変形後は読み取り不可能となるように二次元コードの少なくとも一部を記録したことを特徴とする二次元コード付き包装材。
【請求項８】
前記包装材は、加圧封止又は減圧封止され、開封によって圧力が開放されることで、前記変形部位に凹凸が生じ又は消滅することを特徴とする請求項６又は請求項７の二次元コード付き包装材。
【請求項９】
折り曲げ部又は曲がり部を有する容器の包装材であって、
前記容器の折り曲げ部又は曲がり部に対応する位置に、平坦に延ばされた状態で読み取り可能となるように二次元コードの少なくとも一部を記録したことを特徴とする二次元コード付き包装材。
【発明の詳細な説明】
【技術分野】
【０００１】
本発明は、ＱＲコード（登録商標）等の二次元コードの付加された容器、包装材に関するものである。
【背景技術】
【０００２】
商品の販促のため、ＱＲコード等の情報コードを用いて種々のサービスを提供することが行われている。例えば、何らかの景品や特典を付与するようなサービス情報をＱＲコードに付与しておき、そのＱＲコードを携帯電話のカメラで読み取って、そのＱＲコードの情報データをネットワークを介して指示された送信先に送ることによって、懸賞の応募、特典ポイントの加算などを行うことができる。
【０００３】
このような方法でＱＲコードを用いる場合には、商品の精算前に情報コードを読み取っても応募できるため、商品の購入前に第３者によってＱＲコードが携帯電話等によって盗み見られることを防止しておかなければならない。かかる課題に対応するため特許文献１に、第１のラベルと第２のラベルとを張り合わせた重層ラベルをカンコーヒー等の容器に貼る技術が開示されている。当該技術では、第２のラベルの表面にバーコードを印字することで、重層ラベルの表面からバーコードを読めるようにし、一方で、第１のラベルにＱＲコードを印字し、第２のラベルを剥がさないと第１のラベルのＱＲコードが読めないようにしている。特許文献２には、スクラッチシールを付加してＱＲコードを読めなくした広告キャンペーン用ラベルが開示されている。また、特許文献３には、ＱＲコード等の二次元コードの読み取り手順が開示されている。
【特許文献１】特開２００４−１９８６１６号公報
【特許文献２】特開２００５−７０７３１号公報
【特許文献３】特開平７−２５４０３７号公報
【発明の開示】
【発明が解決しようとする課題】
【０００４】
しかしながら、特許文献１の技術では、二次元コードを第１のラベルに印刷した上に、第２のラベルを貼り付けた２層ラベルを作成しなければならなず、手間が掛かる。更に、第２のラベルを剥がすことでＱＲコードが読めるようになること、即ち、ＱＲコードが読み出せるようになるとのメッセージを付加させる必要がある。また、商品に予め広い貼り付け用のスペースが必要なため、商品デザインの自由度が制約されるという課題があった。また、懸賞等のキャンペーン期間のみ、商品やラベル等の作成のために別のデザイン、別の基材を準備しなければならないといった煩雑さもある。同様に、特許文献２でも、スクラッチシールを剥がすことで、ＱＲコードが読めるようになるという課題がある。
【０００５】
更に、商品に流通段階でのみ必要な情報の二次元コードと、購入者用の情報を提供する二次元コードとを付加した際に、購入者は何れの二次元コードを読み取ればよいか分からないという課題がある。
【０００６】
本発明は、上述した課題を解決するためになされたものであり、その目的とするところは、読み取り不可能な状態と読み取り可能とを切り替えられる二次元コード付き容器、及び、二次元コード付き包装材を提供することにある。
【課題を解決するための手段】
【０００７】
上記目的を達成するため、請求項１の二次元コード付き容器１０は、所定の操作を施すことで変形が生じる容器１０であって、
容器１０の変形部位１２、１８に、変形前は読み取り不可能で、変形後は読み取り可能となるように二次元コードＱの少なくとも一部を記録したことを技術的特徴とする。
【０００８】
請求項１の二次元コード付き容器１０では、容器１０の変形部位１２、１８に、変形前は歪んで読み取り不可能で、変形後は歪みが無くなり正常な形状となって読み取り可能となるように二次元コードＱの少なくとも一部を記録してあるので、変形後にのみ二次元コードＱを読み取り可能にできる。このため、情報コードに特別な構成を付加しなくても、商品の購入前に第３者によってＱＲコード等の情報コードが携帯電話等によって盗み見られることを防止できる。また、変形前であっても、二次元コードＱが付加されていることを視認させることができる。
【０００９】
請求項２の二次元コード付き容器１０は、所定の操作を施すことで変形が生じる容器１０であって、
容器１０の変形部位１２、１８に、変形前は読み取り可能で、変形後は読み取り不可能となるように二次元コードＱの少なくとも一部を記録したことを技術的特徴とする。
【００１０】
請求項２の二次元コード付き容器１０では、容器１０の変形部位１２、１８に、変形前は読み取り可能で、変形後は歪んで読み取り不可能となるように二次元コードＱ１の少なくとも一部を記録してあるので、変形前にのみ二次元コードＱ１を読み取れ、変形後は二次元コードＱ１の読み取りを不可能にできる。このため、例えば、流通段階でのみ必要な情報の二次元コードＱ１と、購入者用の情報を提供する二次元コードＱ２とを付加した際に、流通段階でのみ必要な情報の二次元コードＱ１側を商品購入後に読めなくすることで、間違いなく購入者用の情報を提供する二次元コードＱ２側を読み取らせることができる。
【００１１】
請求項３の二次元コード付き容器１０では、開封によって圧力が開放されることで、変形部位１２に三角形１２ｄの折れ目１４による凹凸が生じることによって、二次元コードＱを読み取り可能に、又は不可能にできる。
【００１２】
請求項４の二次元コード付き容器１０では、開封によって圧力が開放されることで、変形部位１８に凹凸が生じ又は凹凸が平坦になることによって、二次元コードＱを読み取り可能に、又は不可能にできる。
【００１３】
請求項５の二次元コード付き容器１０は、折り曲げ部又は曲がり部１９を有する容器１０であって、
前記折り曲げ部又は曲がり部１９に、当該折り曲げ部又は曲がり部１９が平坦に延ばされた状態で読み取り可能となるように二次元コードＱの少なくとも一部を記録したことを技術的特徴とする。
【００１４】
請求項５の二次元コード付き容器１０では、容器１０の折り曲げ部又は曲がり部１９に、当該折り曲げ部又は曲がり部１９が平坦に延ばされた状態で読み取り可能となるように二次元コードＱの少なくとも一部を記録してあるので、容器１０を平坦に延ばすことで二次元コードＱの読み取りを可能にできる。このため、情報コードに特別な構成を付加しなくても、商品の購入前に第３者によってＱＲコード等の情報コードが携帯電話等によって盗み見られることを防止できる。また、変形前であっても、二次元コードＱが付加されていることを視認させることができる。
【００１５】
請求項６の二次元コード付き包装材４０は、所定の操作を施すことで変形が生じる包装材４０であって、
包装材４０の変形部位４８に、変形前は読み取り不可能で、変形後は読み取り可能となるように二次元コードＱの少なくとも一部を記録したことを技術的特徴とする。
【００１６】
請求項６の二次元コード付き包装材４０では、包装材４０の変形部位４８に、変形前は歪んで読み取り不可能で、変形後は歪みが無くなり正常な形状となって読み取り可能となるように二次元コードＱの少なくとも一部を記録してあるので、変形後にのみ二次元コードＱを読み取り可能にできる。このため、情報コードに特別な構成を付加しなくても、商品の購入前に第３者によってＱＲコード等の情報コードが携帯電話等によって盗み見られることを防止できる。また、変形前であっても、二次元コードＱが付加されていることを視認させることができる。
【００１７】
請求項７の二次元コード付き包装材４０は、所定の操作を施すことで変形が生じる包装材４０であって、
包装材４０の変形部位４８に、変形前は読み取り可能で、変形後は読み取り不可能となるように二次元コードＱの少なくとも一部を記録したことを技術的特徴とする。
【００１８】
請求項７の二次元コード付き包装材４０では、包装材４０の変形部位４８に、変形前は読み取り可能で、変形後は歪んで読み取り不可能となるように二次元コードＱの少なくとも一部を記録してあるので、変形前にのみ二次元コードＱを読み取れ、変形後は二次元コードＱの読み取りを不可能にできる。このため、例えば、流通段階でのみ必要な情報の二次元コードＱと、購入者用の情報を提供する二次元コードＱとを付加した際に、流通段階でのみ必要な情報の二次元コードＱ側を商品購入後に読めなくすることで、間違いなく購入者用の情報を提供する二次元コードＱ側を読み取らせることができる。
【００１９】
請求項８の二次元コード付き包装材４０では、開封によって圧力が開放されることで、変形部位４８に凹凸が生じ又は凹凸が平坦になることによって、二次元コードＱを読み取り可能に、又は不可能にできる。
【００２０】
請求項９の二次元コード付き包装材４０は、折り曲げ部又は曲がり部１９を有する容器１０の包装材４０であって、
前記容器１０の折り曲げ部又は曲がり部１９に対応する位置に、平坦に延ばされた状態で読み取り可能となるように二次元コードＱの少なくとも一部を記録したことを技術的特徴とする。
【００２１】
請求項９の二次元コード付き包装材４０では、容器１０の折り曲げ部又は曲がり部１９に対応する位置に、平坦に延ばされた状態で読み取り可能となるように二次元コードＱの少なくとも一部を記録してあるので、包装材４０を平坦に延ばすことで二次元コードＱの読み取りを可能にできる。このため、情報コードに特別な構成を付加しなくても、商品の購入前に第３者によってＱＲコード等の情報コードが携帯電話等によって盗み見られることを防止できる。また、変形前であっても、二次元コードＱが付加されていることを視認させることができる。
【発明を実施するための最良の形態】
【００２２】
[第１実施形態]
先ず、第１実施形態の容器に付加された情報コードを読み取る情報コード読取装置について図１を参照して説明する。
情報コード読取装置２０は、ケース２２を備えている。ケース２２の後方部は操作者が手で握るための把持部２２ｂが形成されている。ケース２２の前方部の下部には、読取口２２ａが設けられている。ケース２２内には、照射用赤色発光ダイオード３４、第１反射鏡３２ｆ、結像レンズ３０、第２反射鏡３２ｓおよび光学的センサ３６、制御素子２６の実装された基板２４を備えている。
【００２３】
第１実施形態では、照射用赤色発光ダイオード３４が発光すると、その赤色光はケース２２外部のＱＲコードＱを照射する。ＱＲコードＱにより反射された赤色光は、再度、ケース２２内に入り第１反射鏡３２ｆで反射されて、結像レンズ３０へ入射し、第２反射鏡３２ｓで反射され、受光素子がマトリクス状に配列された光学的センサ３６にＱＲコードの像を結像させる。このＱＲコードの像を光電変換して読み取った光学的センサ３６は、像のパターンを表す電気信号として制御素子２６側に出力する。制御素子２６は、光学的センサ３６からＱＲコードの読み取りデータををデコード（解読）して、ＱＲコードが表している情報を得、所定タイミングで、電波による無線通信あるいは有線で図示しない本体装置へ送信する。
【００２４】
引き続き、上記情報コード読取装置２０で読み取るＱＲコードが付加された容器について、図２及び図３を参照して説明する。
図２及び図３は、ＱＲコードＱの付加されたアルミニューム製炭酸飲料の容器１０を示している。図２は、容器１０の蓋１６が抜かれる前の炭酸が充填されている状態、即ち、消費者による購買前の状態を示し、図３は、消費者により購買されて蓋１６が蓋口１６ｈから抜かれた状態の容器１０を示している。この容器１０の中央部には、折れ目１４により区画された連続する三角形１２ｄにより成る変形部位１２が設けられている。該折れ目１４により囲まれた三角形１２ｄは、圧力が加わらない状態で、内側に凹むように成形されている。そして、炭酸ガスの圧力で、該折れ目１４により囲まれた所定の三角形１２ｄが押し出されることで、該変形部位１２がほぼ平坦になるように形成されている。
【００２５】
図２に示すように容器１０の蓋１６が抜かれる前の状態では、ＱＲコードＱは歪むように変形部位１２に印刷されている。一方、図３に示すように容器１０の蓋が抜かれ、開封によって内部のガス圧力が開放され、該折れ目１４により囲まれた所定の三角形１２ｄが内側に凹んだ状態で、ＱＲコードＱは正しい矩形形状に見えるように変形部位１２に印刷されている。図２に示す容器１０に炭酸ガスが充填された、ＱＲコードＱが歪んでいる状態では、情報コード読取装置２０、携帯電話で読み取ることができない。しかし、図３に示すように容器１０が蓋を抜かれた状態になれば、情報コード読取装置２０、携帯電話で読み取ることができる。このため、商品の購入前に第３者によってＱＲコードの情報が携帯電話等によって盗み見られることを防止できる。
【００２６】
該ＱＲコードＱを拡大して図１１（Ａ）に示す。ＱＲコードＱは、３個の位置決めマーク５２と、１個の頂点検出用セル５４で領域が確定し、その中側はデータ領域５６として、二進情報を表示するセル５８が配置されている。
【００２７】
ここで、ＱＲコードの読み取りの手順について図１１、図１２を参照して説明する。
図１１（Ａ）を参照して上述したＱＲコードＱは、セル数が縦横同数（２１セル×２１セル）の正方形状に配置されている。各セルは、光学的に異なった２種類のセルから選ばれており、図および説明上では白（明）・黒（暗）で区別して表す。位置決めマーク５２は、二次元コード１の４つの頂点の内、３つに配置されている。位置決めマーク５２の明暗配置は、図１１（Ｂ）に示すように黒部からなる正方形５２ａ内の中心に白部からなる縮小した正方形５２ｂが形成され、その内の中心に黒部からなる更に縮小した正方形５２ｃが形成されているパターンである。
【００２８】
この位置決めマーク５２をスキャンした場合の明暗検出を図１１（Ｃ）中に示す。位置決めマーク５２の中心を代表的な角度で横切る走査線（ａ），（ｂ），（ｃ）での明暗検出パターンは、図１１（Ｃ）に示すごとく、すべて同じ周波数成分比を持つ構造になっている。即ち、位置決めマーク５２の中心を横切るそれぞれの走査線（ａ），（ｂ），（ｃ）の周波数成分比は暗：明：暗：明：暗＝１：１：３：１：１となっている。勿論、走査線（ａ），（ｂ），（ｃ）の中間の角度の走査線においても比率は１：１：３：１：１である。
【００２９】
このことにより、ＱＲコードがいかなる方向に回転していても、一定方向の走査処理のみで位置決めマーク５２の持つ特定周波数成分比を検出することができる。このため走査方向を繰り返し何度も変更して基準となる所定のパターンを検出する必要がない。したがって、位置決めマーク５２の中心位置が容易に早期に判明するので、ＱＲコードＱの位置が迅速に特定でき、その後の処理も早期に開始できる。
【００３０】
次に、図１２のフローチャートを参照し、情報コード読取装置１０によるＱＲコードの読み取り処理について説明する。まず、情報コード読取装置１０の光学的センサ３６側から読み込まれた画像信号の２値化がなされる（Ｓ１２）。この２値化された画像がハード処理にて順次メモリに格納される（Ｓ１４）。これと並列のハード処理にてこの２値画像から、位置決めマーク５２の位置座標が検出される（Ｓ１６）。
【００３１】
次に位置決めマーク５２が３個以上見つけられたか否かが判定される（Ｓ１８）。３個存在しなければ次の処理に移れない。３個存在しない場合には（Ｓ１８）、位置決めマーク検出用に設定された所定時間が経過したか否かを判断し（Ｓ２４）、経過前（Ｓ２４：Ｎｏ）はＳ１２の処理に戻る。再度画像を読み直しても位置決めマーク５２が検出できず、所定時間が経過した際には（Ｓ２４：Ｙｅｓ）、読み取りエラーを本体装置へ出力する（Ｓ３２）。即ち、図２を参照して上述した容器１０の蓋を外す前の状態で、ＱＲコードＱの位置決めマーク５２が歪んでが探せないときには、ＱＲコードの切り出しはできなくなる。
【００３２】
一方、位置決めマーク５２を探すことができた場合（Ｓ１８：Ｙｅｓ）、位置決めマーク５２の存在しないもう一つの頂点を計算で求める（Ｓ２０）。次にその該当する個所に頂点検出用セル５４が存在するか否かを判定する（Ｓ２２）。Ｓ２２にて頂点検出用セル５４が検出されれば（Ｓ２２：Ｙｅｓ）、ＱＲコードの領域の確定が完了し、図１１（Ａ）を参照して上述したデータ領域５６内のセル５８からコード内容の読み出しを行う（Ｓ２６）。そして、読み出されたコード内容が正常か否かを判断する（Ｓ２８）。例えば、白と黒とのセル数が予め定められている特定の数になっているか否か、あるいは表されているデータを所定の計算方法で計算した結果が二次元コード内の所定範囲に表されているチェック用データと一致しているか否か等により、正常にＱＲコードが読み取られているかを判断する。ここで、図２を参照して上述した容器１０の蓋を外す前の状態で、ＱＲコードＱの位置決めマーク５２が探せても、データ領域５６内のセル５８が変位しているために、このＳ２８のコード内容が正常か否かを判断がＮｏとなり、読み取りエラーが本体装置へ出力される（Ｓ３２）。他方、図３に示す容器１０の蓋を外し、ＱＲコードが正常に読みとれる状態になっていると、Ｓ２８のコード内容が正常か否かを判断がＹｅｓとなり、読み取り結果のコード内容が本体装置へ出力される（Ｓ３０）
【００３３】
第１実施形態では、ＱＲコードＱを印刷するだけなので必要とするスペース小さく、商品に付加させ易く、商品デザインの自由度が制約されることがない。
【００３４】
[第２実施形態]
図４を参照して第２実施形態に係るＱＲコードの付加された容器について説明する。
図４（Ａ）は、第２実施形態に係るＱＲコードの付加された容器を示す斜視図であって、容器１０の蓋１６が抜かれる前の炭酸が充填されている状態、即ち、消費者による購買前の状態を示している。図４（Ｂ）は、消費者により購買されて蓋１６が蓋口１６ｈから抜かれた状態の容器１０を示している。この容器１０の中央部には、折れ目１４により区画された連続する三角形１２ｄにより成る変形部位１２が設けられている。該折れ目１４により囲まれた所定の三角形１２ｄは、圧力が加わらない状態で、内側に凹むように形成されている。そして、炭酸ガスの圧力で、該折れ目１４により囲まれた所定の三角形１２ｄが押し出されることで、該変形部位１２がほぼ平坦になるように構成されている。
【００３５】
図４に示すように容器１０には、流通段階で用いられる第１ＱＲコードＱ１と購入者用の情報を保持する第２ＱＲコードＱ１とが記録され、該第１ＱＲコードＱ１のみが変形部位１２に印刷されている。ここで、図４（Ａ）に示すように蓋１６が抜かれる前の状態では、第１ＱＲコードＱ１は正しい矩形形状に見えるように変形部位１２に印刷されている。一方、図４（Ｂ）に示すように容器１０の蓋が抜かれ、開封によって内部のガス圧力が開放され、該折れ目１４により囲まれた所定の三角形１２ｄが内側に凹んだ状態で、第１ＱＲコードＱ１は歪むように変形部位１２に印刷されている。図２に示す容器１０に炭酸ガスが充填された、第１ＱＲコードＱ１が正常に見える状態では、情報コード読取装置２０、携帯電話で読み取ることがきる。しかし、図４（Ｂ）に示すように容器１０が蓋を抜かれた状態になれば、情報コード読取装置２０、携帯電話で読み取ることができなくなる。このため、購入者用の情報を提供する第１ＱＲコードＱ１と、流通段階でのみ必要な情報第２ＱＲコードＱ２とを付加した際に、流通段階でのみ必要な情報の第１ＱＲコードＱ１側を商品購入後に読めなくすることで、蓋１６を抜いた後には、間違いなく購入者用の情報を提供する第２ＱＲコードＱ２側を読み取らせることができる。
【００３６】
[第３実施形態]
図５を参照して第３実施形態に係るＱＲコードの付加された容器について説明する。
図５（Ａ）は、第３実施形態に係るＱＲコードの付加された容器を示す斜視図であって、容器１０の蓋１６が抜かれる前の炭酸が充填されている状態、即ち、消費者による購買前の状態を示している。図５（Ｂ）は、消費者により購買されて蓋１６が蓋口１６ｈから抜かれた状態の容器１０を示している。樹脂製の容器１０の頂部には、半球状の凸部からなる変形部位１８が複数設けられている。該変形部位１８は、他の部位よりも薄く成形されることで圧力が加わった状態で外側に突出し、圧力が加わらない状態で平坦になるように構成されている。ＱＲコードＱは、複数の変形部位１８に架かるように印字されている。
【００３７】
図５（Ａ）に示すように容器１０の蓋１６が抜かれる前の状態では、ＱＲコードＱの一部が歪むように変形部位１８に印刷されている。一方、図５（Ｂ）に示すように容器１０の蓋が抜かれ、開封によって内部のガス圧力が開放され、変形部位１８が平坦になることで、ＱＲコードＱの歪みが取れるように印刷されている。図５（Ａ）に示す容器１０に炭酸ガスが充填された、ＱＲコードＱの一部が歪んでいる状態では、情報コード読取装置２０、携帯電話で読み取ることができない。しかし、図５（Ｂ）に示すように容器１０が蓋を抜かれた状態になれば、情報コード読取装置２０、携帯電話で読み取ることができる。このため、ＱＲコードに特別な構成を付加しなくても、商品の購入前に第３者によってＱＲコードの情報が携帯電話等によって盗み見られることを防止できる。
【００３８】
[第４実施形態]
図６を参照して第４実施形態に係るＱＲコードの付加された容器について説明する。
第３実施形態ではガス圧が充填された密封容器を用いた。これに対して、第４実施形態では、例えば、空気中の酸素が吸着されることで減圧された密封容器を用いる。
図６（Ａ）は、第４実施形態に係るＱＲコードの付加された容器を示す斜視図であって、容器１０の蓋１６が抜かれる前の減圧されている状態、即ち、消費者による購買前の状態を示している。図６（Ｂ）は、消費者により購買されて蓋１６が蓋口１６ｈから抜かれ減圧が解かれた状態の容器１０を示している。樹脂製の容器１０の頂部には、半球状の凸部からなる変形部位１８が複数設けられている。該変形部位１８は、他の部位よりも薄く成形されることで減圧状態で内部側に突出し、減圧されない状態で平坦になるように構成されている。ＱＲコードＱは、複数の変形部位１８に架かるように印字されている。
【００３９】
図５（Ａ）に示すように容器１０の蓋１６が抜かれる前の状態では、ＱＲコードＱの一部が歪むように変形部位１８に印刷されている。一方、図５（Ｂ）に示すように容器１０の蓋が抜かれ、開封によって内部のガス減圧が開放され、変形部位１８が平坦になることで、ＱＲコードＱの歪みが取れるように印刷されている。図５（Ａ）に示す減圧された容器１０でのＱＲコードＱの一部が歪んでいる状態では、情報コード読取装置２０、携帯電話で読み取ることができない。しかし、図５（Ｂ）に示すように容器１０が蓋を抜かれた状態になれば、情報コード読取装置２０、携帯電話で読み取ることができる。このため、ＱＲコードに特別な構成を付加しなくても、商品の購入前に第３者によってＱＲコードの情報が携帯電話等によって盗み見られることを防止できる。
【００４０】
[第５実施形態]
図７を参照して第５実施形態に係るＱＲコードの付加された容器について説明する。
図７（Ａ）は、第５実施形態に係るＱＲコードの付加された容器を示す斜視図であって、容器１０の蓋１６が抜かれる前の炭酸が充填されている状態、即ち、消費者による購買前の状態を示している。図５（Ｂ）は、消費者により購買されて蓋１６が蓋口１６ｈから抜かれた状態の容器１０を示している。第３実施形態と同様に樹脂製の容器１０の頂部には、半球状の凸部からなる変形部位１８が複数設けられている。該変形部位１８は、他の部位よりも薄く成形されることで圧力が加わった状態で外側に突出し、圧力が加わらない状態で平坦になるように構成されている。ＱＲコードＱは、複数の変形部位１８に架かるように印字されている。
【００４１】
図７（Ａ）に示すように容器１０の蓋１６が抜かれる前の状態では、ＱＲコードＱが歪まないように変形部位１８に印刷されている。一方、図７（Ｂ）に示すように容器１０の蓋が抜かれ、開封によって内部のガス圧力が開放され、変形部位１８が平坦になることで、ＱＲコードＱの一部が歪むように印刷されている。図７（Ａ）に示す容器１０に炭酸ガスが充填された状態では、情報コード読取装置２０、携帯電話で読み取ることができる。しかし、図７（Ｂ）に示すように容器１０が蓋を抜かれた状態になれば、情報コード読取装置２０、携帯電話で読み取ることができなくなる。
【００４２】
[第６実施形態]
図８を参照して第６実施形態に係るＱＲコードの付加された包装材について説明する。
第１〜第５実施形態は、加圧、減圧された容器を対象とした。これに対して、第６実施形態では、圧力の加わらない容器１０を包む包装材４０内に圧力を加えている。図８（Ａ）は、第６実施形態に係るＱＲコードの付加された包装材を示す斜視図であって、容器１０の蓋１６が抜かれ、包装材４０の一部が破られる前の空気が充填されている状態、即ち、消費者による購買前の状態を示している。図８（Ｂ）は、消費者により購買されて蓋１６が蓋口１６ｈから抜かれ、包装材４０の一部が破られた状態の容器１０を示している。容器１０は包装材４０で包まれ、包装材４０の頂部には、半球状の凸部からなる変形部位４８が複数設けられている。該変形部位１８は、他の部位よりも薄く成形されることで圧力が加わった状態で外側に突出し、空気が抜けた圧力の加わらない状態で平坦になるように構成されている。ＱＲコードＱは、複数の変形部位４８に架かるように印字されている。
【００４３】
図８（Ａ）に示すように容器１０の蓋１６が抜かれ、包装材４０の一部が破られる前の状態では、ＱＲコードＱの一部が歪むように変形部位４８が配置されている。一方、図８（Ｂ）に示すように容器１０の蓋が抜かれ、包装材８０の一部が破られことによって変形部位４８内部の空気が抜けて、変形部位１８が平坦になることで、ＱＲコードＱの歪みが取れるようになる。図８（Ａ）に示す包装材４０に空気が充填されたＱＲコードＱの一部が歪んでいる状態では、情報コード読取装置２０、携帯電話で読み取ることができない。しかし、図８（Ｂ）に示すように容器１０が蓋を抜き、包装材４０が気密性を失った状態になれば、情報コード読取装置２０、携帯電話で読み取ることができる。このため、ＱＲコードに特別な構成を付加しなくても、商品の購入前に第３者によってＱＲコードの情報が携帯電話等によって盗み見られることを防止できる。この第６実施形態では、加圧状態を解くことでＱＲコードを読み取り可能にしたが、第５実施形態のように加圧状態を解くことでＱＲコードを読み取れなくすることも可能である。
【００４４】
[第７実施形態]
図９を参照して第７実施形態に係るＱＲコードの付加された容器について説明する。
第１〜第５実施形態では、金属、樹脂製の圧力容器を対象とし、一部が変形した。これに対して、第７実施形態は、紙製の容器で全体が潰れ得るように構成されている。
図９（Ａ）は、第７実施形態に係るＱＲコードの付加された容器１０を示す斜視図であって、容器１０が立方形状に保たれている状態、即ち、消費者による購買前の状態を示している。図９（Ｂ）は、消費者により購買され、内容物が取り出されてから潰された状態の容器１０を示している。紙製の容器１０の角部１９にＱＲコードＱが印刷されている。
【００４５】
図９（Ａ）に示すように容器１０が潰される前の状態では、ＱＲコードＱが曲がるように角部（曲げ部）１９に印刷されている。一方、図９（Ｂ）に示すように容器１０が潰され平坦になることで、ＱＲコードＱが平坦になる。図９（Ａ）に示す容器１０が立方形状の状態では、情報コード読取装置２０、携帯電話で読み取ることができない。しかし、図９（Ｂ）に示すように容器１０が平坦になった状態になれば、情報コード読取装置２０、携帯電話で読み取ることができる。このため、ＱＲコードに特別な構成を付加しなくても、商品の購入前に第３者によってＱＲコードの情報が携帯電話等によって盗み見られることを防止できる。
【００４６】
[第８実施形態]
図１０を参照して第８実施形態に係るＱＲコードの付加された包装材４０について説明する。
第７実施形態は容器を対象としたが、第８実施形態は容器を包む包装材を対象としている。
図１０（Ａ）は、第８実施形態に係るＱＲコードの付加された透明樹脂製の包装材４０を示す斜視図であって、該包装材４０により包まれた容器１０が立方形状に保たれている状態、即ち、消費者による購買前の状態を示している。図１０（Ｂ）は、消費者により購買され、容器から包装材４０が剥がされた状態を示している。包装材４０の表面側であって、容器１０の角部１９に対応する位置にＱＲコードＱが印刷されている。
【００４７】
図１０（Ａ）に示すように容器１０から剥がされる前の状態では、ＱＲコードＱが曲がるように角部１９に対応する位置に印刷されている。一方、図１０（Ｂ）に示すように容器１０から剥がされ平坦になることで、ＱＲコードＱが平坦になる。図１０（Ａ）に示す容器１０を包んだ状態では、情報コード読取装置２０で読み取ることができない。しかし、図１０（Ｂ）に示すように容器１０から剥がされた状態になれば、情報コード読取装置２０で読み取ることができる。このため、ＱＲコードに特別な構成を付加しなくても、商品の購入前に第３者によってＱＲコードの情報が携帯電話等によって盗み見られることを防止できる。第７、第８実施形態では、直角に曲がった角部１９にＱＲコードを付加したが、この代わりに、円柱、半円状に曲がった曲がり部にＱＲコードを付加することも可能である。
【産業上の利用可能性】
【００４８】
上述した実施形態では、本発明の二次元コードとしてＱＲコードを例示したが、本発明の構成は、ＰＤＦ４１７、データコード、マキシコード等の二次元コードにも適用可能であることは言うまでもない。
【図面の簡単な説明】
【００４９】
【図１】第１実施形態に係る情報コード読取装置の構成を示す断面図である。
【図２】第１実施形態に係るＱＲコードの付加された容器を示す斜視図であって、蓋が抜かれる前の状態を示している。
【図３】第１実施形態に係るＱＲコードの付加された容器を示す斜視図であって、蓋が抜かれた後の状態を示している。
【図４】第２実施形態に係るＱＲコードの付加された容器を示す斜視図であって、図４（Ａ）は蓋が抜かれる前の状態を、図４（Ｂ）は蓋が抜かれた後を示している。
【図５】第３実施形態に係るＱＲコードの付加された容器を示す斜視図であって、図５（Ａ）は蓋が抜かれる前の状態を、図５（Ｂ）は蓋が抜かれた後を示している。
【図６】第４実施形態に係るＱＲコードの付加された容器を示す斜視図であって、図６（Ａ）は蓋が抜かれる前の状態を、図６（Ｂ）は蓋が抜かれた後を示している。
【図７】第５実施形態に係るＱＲコードの付加された包装材を示す斜視図であって、図７（Ａ）は蓋が抜かれる前の状態を、図７（Ｂ）は蓋が抜かれた後を示している。
【図８】第６実施形態に係るＱＲコードの付加された包装材を示す斜視図であって、図８（Ａ）は蓋が抜かれる前の状態を、図８（Ｂ）は蓋が抜かれた後を示している。
【図９】第７実施形態に係るＱＲコードの付加された容器を示す斜視図であって、図９（Ａ）は組み立てられた状態を、図９（Ｂ）は潰された状態を示している。
【図１０】第８実施形態に係るＱＲコードの付加された包装材を示す斜視図であって、図１０（Ａ）は組み立てられ容器に付けられた状態を、図１０（Ｂ）は容器から剥がされた状態を示している。
【図１１】図１１（Ａ）はＱＲコードの平面図であり、図１１（Ｂ）は位置決めマークの走査を説明する説明図であり、図１１（Ｃ）は位置決めマークの明暗検出パターンを示す波形図である。
【図１２】ＱＲコードの読み取り処理を示すフローチャートである。
【符号の説明】
【００５０】
１０  容器
１２  変形部位
１２ｄ  三角形
１４  折れ目
１６  蓋
１８  変形部位
１９  角部（曲げ部、曲がり部）
４０  包装材
４８  変形部位
５２  位置決めマーク
Ｑ  ＱＲコード（二次元コード）
【図１】
2007219614.tif 000003
【図２】
2007219614.tif 000004
【図３】
2007219614.tif 000005
【図４】
2007219614.tif 000006
【図５】
2007219614.tif 000007
【図６】
2007219614.tif 000008
【図７】
2007219614.tif 000009
【図８】
2007219614.tif 000010
【図９】
2007219614.tif 000011
【図１０】
2007219614.tif 000012
【図１１】
2007219614.tif 000013
【図１２】
2007219614.tif 000014